(57)【要約】【課題】  遊技盤の後方側に配置され遊技球の流路を有するパネルを、流路と重ねて電子部品基板を配置することのできる構成とした遊技機を提供する。【解決手段】  遊技機１は、遊技盤４の後方側に配置され、この遊技盤４から後方へと進入した遊技球を流す流路を備えた後方パネル２５を備えて構成される。この後方パネル２５において流路は溝状に形成され、遊技球が通過する通過部の後方側に溝底部９４が設けられる形態をなし、かつ、この溝底部９４を貫通するように貫通孔９３が形成されている。電子部品基板１００は、溝底部９４の裏面側においてこの後方パネル２５に取り付けられており、この取り付け状態において、発光部品１０３の先端部が溝底部９４の表面と裏面の間に位置するように、この発光部品１００の一部が貫通孔９３内に進入した状態で配置される。【選択図】        図７
2014004394.tif 000002
【特許請求の範囲】
【請求項１】
遊技盤の盤面上を遊技球が流下して遊技が行われる遊技機において、
前記遊技盤の後方側に配置され、この遊技盤から後方へと進入した遊技球を流す流路を備えた後方パネルと、
この後方パネルに取り付けられると共に、所定の発光部品を有してなる電子部品基板とを備え、
前記流路は溝状に形成されると共に、前記遊技球が通過する通過部の後方側に溝底部が設けられる形態をなし、かつ、この溝底部を貫通するように貫通孔が形成されており、
前記電子部品基板は、前記溝底部の裏面側において前記後方パネルに取り付けられており、この取り付け状態において、前記発光部品は、その最先端部が前記溝底部の表面と裏面の間に位置するように、少なくとも一部が前記貫通孔内に配置されていることを特徴とする遊技機。
【発明の詳細な説明】
【技術分野】
【０００１】
本発明は遊技機に関する。
【背景技術】
【０００２】
従来の遊技機では、遊技領域が構成される遊技盤において遊技球が進入する入賞口が様々に配置されるようになっており、この入賞口から進入する遊技球が遊技盤の後方側を流れるように構成されるものが広く提供されている。このような構成のものは、遊技盤の後方側に進入した遊技球を集合させるパネル（集合パネル、或いは集合板とも称されるもの）が配置される構成をなしており、この集合パネルに設けられた流路を流れて遊技球が所定の位置に集められるようになっている。なお、このような集合パネル（集合板）に関する参考技術として特許文献１のようなものが挙げられる。
【先行技術文献】
【特許文献】
【０００３】
【特許文献１】特開２００２−２９２０５５公報
【発明の概要】
【発明が解決しようとする課題】
【０００４】
ところで、遊技盤の後方側に配置されるパネルは、遊技球の流路が構成されるのみならず、様々な機能部品（基板等）が設けられるようなものが提供されている。例えば、ＬＥＤなどの電子部品や各種配線をパネルに設けるようにすれば、遊技盤に配置される部品の数を低減でき、部品をパネルにて管理できることとなる。しかしながら、このような機能部品をパネルに配置しようとした場合、流路構成によって制約をうけることが多く、当該パネルの板面方向に関し流路が配置されない限られた領域に設けるようにしていた。
【０００５】
本発明は上記のような事情に基づいて完成されたものであって、遊技盤の後方に配置されるパネルにおいて遊技球の流路と重ねて電子部品基板が配置可能とされる構成をなす遊技機を提供することを目的とする。
【課題を解決するための手段】
【０００６】
上記課題を解決するための有効な手段とその作用・効果を以下に示す。
【０００７】
手段１．遊技盤の盤面上を遊技球が流下して遊技が行われる遊技機において、
前記遊技盤の後方側に配置され、この遊技盤から後方へと進入した遊技球を流す流路を備えた後方パネルと、
この後方パネルに取り付けられると共に、所定の発光部品を有してなる電子部品基板とを備え、
前記流路は溝状に形成されると共に、前記遊技球が通過する通過部の後方側に溝底部が設けられる形態をなし、かつ、この溝底部を貫通するように貫通孔が形成されており、
前記電子部品基板は、前記溝底部の裏面側において前記後方パネルに取り付けられており、この取り付け状態において、前記発光部品は、その最先端部が前記溝底部の表面と裏面の間に位置するように、少なくとも一部が前記貫通孔内に配置されていることを特徴とする遊技機。
【０００８】
遊技球の流路を備えた後方パネルに発光部品を備えた電子部品基板を配置する構成のものにおいて、流路の後方にそのような電子部品基板を配置しようとすると、電子部品基板やそれを保持する保持部が後方側に突出してしまうことが懸念されるが、手段１の構成（即ち、請求項１の構成）によれば、発光部品の先端部が溝底部の表面と裏面の間に位置するようになっているため、発光部品や電子部品基板の後方への突出を抑制し、かつ発光部品の光が溝底部に遮られることなく貫通孔を介して前方に照出するようになっている。その結果、流路後方においてコンパクトに、かつ発光部品の機能を損ねることなく電子部品基板を配置できることとなり、発光部品を備えた電子部品基板を配置する上で自由度が高いパネル構成となる。
【０００９】
手段２．遊技盤の盤面上を遊技球が流下して遊技が行われる遊技機において、
前記遊技盤の後方側に配置され、この遊技盤から後方へと進入した遊技球を流す流路を備えた後方パネルと、
この後方パネルに取りつけられる、少なくとも発光部品を備えた電子部品基板とを備え、
前記流路は溝状に形成されると共に、前記遊技球が通過する通過部の後方側に溝底部が設けられる形態をなし、かつ、この溝底部を貫通するように貫通孔が形成されており、
前記電子部品基板は、前記溝底部の後方側に配置されて前記後方パネルに取り付けられており、前記発光部品は、前記貫通孔を介して光を前方に照射するように構成されており、
さらに、前記後方パネルの一部より片持ち状に延出するとともに、前記溝底部の厚さ方向に対して横方向に変位して撓むレバーが設けられ、
常には、このレバーに形成された係合爪が前記電子部品基板と係合することによりこの電子部品基板が前記後方パネルに取りつけられた状態にて保持され、前記レバーの係合爪が前記電子部品基板と干渉しない係合解除位置となるように変位可能としたことを特徴とする遊技機。
【００１０】
上記手段２の構成（即ち、請求項２の構成）においても、遊技球の流路を備えた後方パネルに発光部品を備えた電子部品基板を配置する構成のものにおいて、流路の後方に電子部品基板を配置できる好適構成となり、電子部品基板の配置の自由度が高い構成となる。
【００１１】
即ち、流路の後方に電子部品基板を配置しようとすると、その取り付けのための係合片や締結部材を設ける必要があるが、締結部材を設けると部品数が多くなり、他方、係合片を設けようとすると、係合片が後方に突出し、パネルが嵩張ることとなってしまう虞がある。例えば、パネルの裏面側において係合片を設けようとした場合、後方に突出させ、パネルの裏面と直交する面に沿って弾性変位させるように係合片を構成することが考えられる。しかしながら、係合片のストロークを小さくするとレバーを弾性変位させるのに相当の力を要し、操作し難くなり、他方、ストロークを大きくしようとして係合片を長くすると、係合片の後方への突出が大きくなり全体的に嵩張る構成となってしまう。このようにすると、例えば製造時においてパネルを重ねて配置し難くなり、部品管理上問題がある。
【００１２】
これに対し、上記手段２の構成によれば厚さ方向に対して板面方向に沿った横方向に変位するようにレバーが設けられているためレバー全体のストロークを長くしても厚さ方向への突出（即ち、パネル後方への突出）が抑えられ、前後方向の嵩張りを抑えつつ、操作しやすい係合片を構成できることとなる。従って、電子部品基板を流路後方に配置しても嵩張らない構成となり、その結果電子部品基板が流路の後方に配置できて上記のごとく自由度の高い配置構成が可能となるのである。
【００１３】
手段３．前記電子部品基板は、前記溝底部の後方側において前記後方パネルに取り付けられており、前記発光部品は、その最先端部が前記溝底部の表面と裏面の間に位置するように、少なくとも一部が前記貫通孔内に配置されていることを特徴とする手段２に記載の遊技機。
発光部品の先端部が溝底部の表面と裏面の間に位置するようにしているため、発光部品や電子部品基板の後方への突出を抑制しており、一層コンパクト化を図ることが可能となる。
【００１４】
前記４．前記レバーは、前記電子部品基板の周縁に沿って延出する構成をなし、このレバーの少なくとも一部において、前記電子部品基板を前後方向に支持する支持突起が設けられたことを特徴とする手段２又は手段３に記載の遊技機。
【００１５】
このようにすれば横方向に変位するレバーであっても、支持突起により基板の前後方向への移動を拘束できることとなり、安定して配置することができる。
【００１６】
手段５．前記溝底部の裏面側において、前記電子部品基板の周囲を取り囲み、この電子部品基板の横方向の位置決めを行う包囲壁が設けられており、この包囲壁の一部が前記レバーとして兼用されていることを特徴とする手段２ないし手段４のいずれかに記載の遊技機。
【００１７】
このようにすると、横方向に拘束する包囲壁を係合用のレバーとして兼用できるため、部品形状を容易化でき、ひいては部品コストの低減に寄与する。
【００１８】
手段６．前記溝底部の裏面側において、前記電子部品基板の周縁部を少なくともこの電子部品基板の板厚方向に支持する基板支持部が形成されており、
この基板支持部は、支持位置が前記溝底部の裏面よりも所定距離後方側に位置するように段状に構成され、
かつ、その支持状態において、前記発光部品以外の部分であって、前記電子部品基板の基板前面より突出する、半田部、配線部、半導体部品等の突出部が、前記基板面と前記溝底部の裏面との間に収まり、前記発光部品のみが前記貫通孔内に収まるように構成されていることを特徴とする手段１ないし手段５のいずれかに記載の遊技機。
【００１９】
このようにすれば、基板一方面において最も突出し、かつ前方に照射光を発する発光部品を貫通孔内に納め、前方に直接関与しない半田部、配線部、半導体部品等の突出部を基板面と溝底部の裏面との間に収まるようにしたため、基板前方側の面に上記半田部等の突出部が形成されるような基板において基板を極力溝底部の裏面に近接させることのできる構成となる。
【００２０】
手段７．前記溝底部の裏面が、前記電子部品基板の載置面として兼用されていることを特徴とする手段１ないし手段５のいずれかに記載の遊技機。
【００２１】
このようにすれば、基板を溝底部に最も近接させることができ、基板及びそれに関連する部品の後方への突出を抑えることができる好適構成となる。
【００２２】
手段８．前記流路の前方に入賞装置が配置されると共に、この入賞装置から前記流路へと遊技球が進入するように構成されており、
前記発光部品からの光が、前記入賞装置を介して外部へ照出されるように構成されていることを特徴とする手段１ないし手段７のいずれかに記載の遊技機。
【００２３】
このようにすれば、入賞装置を発光させる構成のものにおいて、遊技盤側に発光部品を設けなくとも入賞装置の発光が可能となり、発光部品及び電子部品基板をパネルにて集中的に管理できる構成となる。
【００２４】
手段９．前記流路における前記入賞装置からの遊技球の進入位置は、前記貫通孔よりも下方となっていることを特徴とする手段８に記載の遊技機。
【００２５】
このようにすれば、貫通孔の下方において遊技球が進入することとなるため、発光部品の前方を遊技球が遮るようなことが低減ないし防止できることとなる。また、貫通孔近傍に衝撃が生じ難い構成ともなる。
【００２６】
手段１０．前記貫通孔の径が、遊技球の径よりも小さくなるように前記貫通孔が形成されることを特徴とする手段１ないし手段９のいずれかに記載の遊技機。
【００２７】
このようにすれば、流路を流れる遊技球が貫通孔を通過しない構成となり、発光部品を流路に露出させて前方に光を照射可能な構成としつつも、発光部品を遊技球から保護することが可能となる。
【００２８】
手段１１．前記流路において前記貫通孔に遊技球が嵌まった場合の遊技球の後方側の端部が、前記発光部品の最先端部に達しないように形状調整されていることを特徴とする手段１０に記載の遊技機。
【００２９】
このようにすれば、貫通孔内に遊技球の一部が進入したとしても、貫通孔内において遊技球が発光部品に接触しない構成となり、発光部品を保護可能な好適構成となる。
【００３０】
手段１２．前記電子部品基板の設置領域において前記溝底部に前記貫通孔が複数設けられており、少なくともいずれかの貫通孔内に前記発光部品が配置されるように構成されていることを特徴とする手段１ないし手段１１のいずれかに記載の遊技機。
【００３１】
このようにすることにより、複数設けられた貫通孔のうち少なくともいずれかを利用することができ、発光部品の複数の配置位置に対応させることができる。このような構成によれば、同一又は略同一の基板形状であって発光部品の位置が異なるような複数種類の電子部品基板において共用して用いることができるパネル構成となる。
【００３２】
より具体的には、手段１ないし手段１１に記載の遊技機において、前記電子部品基板の設置領域において、前記電子部品基板における前記発光部品の複数種類の配置位置に対応するように前記溝底部に前記貫通孔が複数設けられており、当該後方パネルの前方に配置される遊技盤での発光位置に応じて少なくともいずれかの貫通孔内に前記発光部品が選択的に配置されるように構成することができる。
【００３３】
このようにすれば、後方パネルの前方に配置される遊技盤において所望の発光位置を選択することができることとなり、後方パネルを多態様に用いることができる。さらには複数種類の遊技盤に対応できる構成となるため、部品共用化を実現でき、ひいては製造コスト低減等に寄与することとなる。
【発明の効果】
【００３４】
本発明によれば、電子部品基板が配置可能とされる構成をなす遊技機を提供することができる。
【図面の簡単な説明】
【００３５】
【図１】本発明の第１実施形態に係る遊技機を概念的に示す正面図
【図２】図１の遊技機の裏面図
【図３】機構板を開放した状態の遊技機の裏面斜視図
【図４】ガラス枠及び前面板を開放して示す遊技機の斜視図
【図５】ガラス扉枠及び前面枠を開放して示す要部斜視図
【図６】機構板の一部を断面にて示す要部正面図
【図７】後方パネルの要部を拡大して示す斜視図
【図８】図７の後方パネルに電子部品基板を取り付けた斜視図
【図９】後方パネルの要部を拡大して示す背面図
【図１０】図９の後方パネルに電子部品基板を取り付けた背面図
【図１１】レバーの係合解除位置を示す図
【図１２】入賞装置と電子部品基板との相対的位置関係を例示する断面図
【図１３】第２実施形態の遊技機における電子部品基板の配置位置を示す断面図
【図１４】第３実施形態の遊技機における電子部品基板の配置例を示す断面図
【図１５】第４実施形態の遊技機における後方パネルの要部を拡大して示す背面図
【図１６】図１５の遊技機についてのレバーの係合解除位置を示す図
【図１７】第実施形態の遊技機における後方パネルの要部を拡大して示す背面図
【図１８】第５実施形態の遊技機における後方パネルの要部を拡大して示す背面図
【図１９】図１８の後方パネルに電子部品基板を取り付けた背面図
【発明を実施するための形態】
【００３６】
以下、本発明の実施形態を添付図面に基づいて説明する。
【００３７】
＜第１実施形態＞
本発明の第１実施形態を図１ないし図１２を参照しつつ説明する。
【００３８】
図１は本発明の第１実施形態に係る遊技機の正面図、図２はその遊技機の裏面図、図３は機構板を開放した状態の遊技機の裏面斜視図である。図において、１は遊技機２００における機枠であり、該機枠１の前面に額縁状に形成された前面枠２が開閉自在に取付けられている。該前面枠２の裏面側に該前面枠２と一体に設けられた合成樹脂製の遊技盤取付枠３を介して遊技盤４が取付けられており、その前面を覆うようにガラス扉枠５および前面板６が着脱かつ開閉自在に装着され、該前面板６の前面に打球を供給する上部球受皿７が装着されている。また、前面枠２の下部には上部球受皿７の余剰球を貯留する下部球受皿８と、打球の発射強さを加減する操作ハンドル９が設けられる。なお、本実施の形態では前面枠２と遊技盤取付枠３とを合成樹脂により一体に形成したものとして例示しているが、前面枠２と遊技盤取付枠３とをそれぞれ別体に成形したものであってもよい。
【００３９】
前面枠２の左側縁部はヒンジ具８８を介して機枠１の左端部に蝶着され、ガラス扉枠５の左側縁部も前面枠２の左端部に蝶着されている。そして、自由端を施錠装置８９によって機枠１および前面枠２に閉止状態で施錠しており、前面枠２の前面に設けられたシリンダー錠Ｓの操作によって前記施錠装置８９を作用して前面枠２およびガラス扉枠５を開閉するようになっている。
【００４０】
前記遊技盤取付枠３は、図３および図４に示すように遊技盤４の下端を支持する下枠部３ａとコ字形の上枠部３ｂとからなり、下枠部３ａの前面側に発射レール１８が取着され、該発射レール１８と前記ガイドレール１０との間に開設されるファール球口１９から落下するファール球および前面板６の開放時に、上部誘導路２０から落下する零れ球を受けて下部球受皿８に導くファール球樋２１が形成される。該ファール球樋２１は前面枠２に形成された球導出樋２２を介して下部球受皿８と連通しており、ファール球樋２１に受けられたパチンコ球は、前面枠２の後方に迂回することなく下部球受皿８に導かれる。２３は上部球受皿７に貯留されたパチンコ球が球抜きされる球抜き樋である。
【００４１】
前記ガラス扉枠５は、図１、図５に示すように、前面枠２の上半部分を全幅にわたって覆う大きさに形成され、その中央部に遊技盤４の遊技領域４ａが視認可能な方形状の開口が形成される合成樹脂製の本体枠５ａと、該本体枠５ａの裏面側に装着される金属製の補強板５ｂとから構成されている。
【００４２】
図１に示すように、前記遊技盤４の前面に遊技球を案内するガイドレール１０が設けられ、このガイドレール１０によって囲まれる遊技領域４ａに一般入賞口１１や可変表示装置１２の図柄を変動させる始動入賞口１３、また可変表示装置１２の予め設定された図柄の組合せにより開放する大入賞口１４等が設けられ、遊技部４ａの最下端にアウト口１５が設けられている。なお、大入賞口１４は、取付板１６に形成した横長の開口に開閉扉１７を前後方向に開閉自在に設け、電気的駆動源により開閉扉１７を開閉する周知のものである。
【００４３】
また、図２、図３に示すように、遊技盤４の裏面には入賞球集合パネルとして構成された後方パネル２５および機構板２６が配設されており、後方パネル２５の裏面に遊技内容を制御する回路基板が収納される基板ボックス２７が装着されている。一方前記機構板２６は、ヒンジ具２８によって開閉自在に装着され、図２および図３に示すように機構板２６の開放側および上下に位置して遊技盤取付枠３に設けられた固定手段としての複数の係止具２９と、機構板２６に設けられた係止孔３０とにより、機構板２６を遊技盤４の裏面に密着させた状態に圧接して固定するようにしている。
【００４４】
前記係止具２９は、図６に示すように軸部３１と該軸部３１から両側に突出する摘みを兼ねる係止部３２，３２を備え、該係止部３２下面には押圧突起を設けており、遊技盤取付枠３の軸に木ネジ３５によりに回動自在に螺締めされている。そして、図６鎖線に示すように係止部３２が係止孔３０に嵌る位置と同図実線に示す係止部３２が係止孔３０に嵌合した状態とに規制突起３６，３７により回動規制されている。また、係止部３２が係止孔３０に嵌る位置に規制する規制突起３６は、前記係止孔３０に臨んで機構板２６の位置決めとなると共に荷重を支持するようにしている。
【００４５】
また、前記機構板２６は、合成樹脂により方形状に形成されており、ほぼ中央に前記可変表示装置１２の後部が臨む窓部４２が開設されており、該窓部４２の上方にパチンコ球を貯留する球タンク４３が取付けられる。また、球タンク４３の下方にはパチンコ球を整列して導き出す球誘導樋４４が設けられ、その下流端は、屈曲誘導樋４５を介して所定数のパチンコ球を払出す球払出装置４６が接続されている。
【００４６】
球払出装置４６の下方には、図６に示すように該球払出装置４６から払出されたパチンコ球を球導出路４７，上部誘導路２０を介して上部球受皿７に導く球排出樋４８および球抜き樋４９が並設されている。そして、前記開口窓４２より下方の機構板２６部分は、パチンコ球の直径よりも僅かに大きい程度の前後幅寸法とした薄幅に形成され、かつ前面部が開口された凹室状の同一内側空間部として構成されている。そして、その同一内側空間部に前面が開口された樋状の入賞球集合通路５０と入賞球と共にアウト球を合流して機外に排出する排出通路５１と、余剰球通路５２と、球抜き通路５３が集約して形成されており、前記球排出樋４８および球抜き樋４９が開口５４，５５を介して余剰球通路５２と球抜き通路５３の上流部分に連通されるようになっている。
【００４７】
前記余剰球通路５２の下流側には球量検出機構５６が設けられている。この球量検出機構５６は、下端が軸５７により揺動自在に軸支された板状の検知部材５８とマイクロスイッチ５９とを有し、余剰球通路５２に賞球が充満するとその余剰球によって検知部材５８が押されて揺動し、マイクロスイッチ５９を作動するもので、該マイクロスイッチ５９の作動によりその信号が制御回路に送られてパチンコ球の払出動作を停止したり打球の発射動作を不能にする等して遊技を不能動化するようになっている。また、余剰球通路５２の終端に下部球受皿８の球出口６０後面に設けられた下部誘導路６１が位置している。
【００４８】
また、図３に示すように遊技盤４および遊技盤取付枠３の下枠部３ａの一部を前記入賞球集合通路５０と入賞球と共にアウト球を排出する排出通路５１と、余剰球通路５２と、球抜き通路５３の通路壁６２としており、機構板２６を前記固定手段としての複数の係止具２９により遊技盤４に密着固定することにより、前記入賞球集合通路５０および排出通路５１，余剰球通路５２，球抜き通路５３にパチンコ球が流下可能な状態となるように構成している。特に上記通路部５０〜５３の近傍に機構板２６の固定手段２９，３０を設けることで、より密着が確実なものとなる。
【００４９】
また、該余剰球通路５２と球抜き通路５３の通路壁６２部分を導電性を有する金属製のカバー板６２ａとしてビス着等の適宜手段により取付けており、さらに該金属製のカバー板６２ａの上縁を屈曲して不正防止用リブ６３を形成して、球出口６０から侵入するピアノ線等の不正具の侵入を防ぐようにしている。なお、金属板６２ａに替えて導電性素材を混合した合成樹脂により成形してもよい。また、前記不正防止リブ６３を余剰球通路５２および球抜き通路５３に沿うように設けることで不正防止と共に通路部の撓み防止の効果も生ずる。さらに、遊技盤取付枠３および遊技盤４の裏面を通路部の側壁とするだけでなく、機構板２６を側壁として遊技盤取付枠３および遊技盤４に通路部の一部を設けるようにして、機構板２６を遊技盤４裏面に装着することによって通路部としての機能をなすようにしてもよい。このとき、通路壁６２を下枠部３ａと別体に形成することで成形しやすくなる。
【００５０】
次に、後方パネルについて図７ないし図１２を参照して説明する。図７は後方パネル２５の右下部を裏側から見た斜視図であり、図８は図７の後方パネル２５に電子部品基板１００を取り付けた状態を示すものである。また、図９は後方パネル２５の要部を拡大して示す背面図であり、図１０は図９のものにおいて電子部品基板１００を取り付けた背面図、図１１は、電子部品基板１００を取り付け、又は取り外しする際の係合解除状態を示す図である。さらに、図１２は、電子部品基板と入賞装置の位置関係についての一例を示す図であり、遊技盤４、入賞装置１１、後方パネル２５についての要部を側方から見た断面図である。なお、図１２は主として位置関係について説明するものであり、実際には図７ないし図１１に示すような基板取付けがなされる。
【００５１】
後方パネル２５は、上述したように入賞球集合パネルとして構成されており、図２、図３に示すように遊技盤４の後方側に配置されるものである。なお、遊技盤４への取付は係合構造やねじ等の締結部材を用いた取り付け構造など、様々な取付構造を採用できる。本実施形態では、遊技盤４の裏面に後方パネル２５が密着して取り付けられており、この遊技盤４から後方へと進入した遊技球（ここでは遊技球Ｐとして例示）を流す流路９７を備えた構成をなしている。そして、この後方パネル２５には、所定の発光部品１０３を有してなる電子部品基板１００が取り付けられるように、流路の裏側に基板取付部１０５が設けられている。ここでは、流路の裏側以外の位置（前後方向において流路と重ならない位置）においても基板取付部１０５が設けられている。
【００５２】
図７、図８において破線で示すように流路９７は溝状に形成されると共に、遊技球が通過する通過部９９（図１２参照）の後方側に溝底部９４が設けられる形態をなし、かつ、この溝底部９４を貫通するように貫通孔９３が形成されている。より具体的には、ほぼ遊技盤４の盤面と平行な板状形態をなす溝底部９４を厚さ方向に貫通するように貫通孔９３が形成されている。
【００５３】
電子部品基板１００は、溝底部９４の裏面側において後方パネル２５に取り付けられるようになっており、図８及び図１０に示す取り付け状態において、発光部品１０３は、その最先端部が溝底部９４の表面９４Ａと裏面９４Ｂの間に位置するように（図１２も参照）、少なくとも一部が貫通孔９３内に配置されている。ここでは、発光部品１０３は、チップ状のＬＥＤとして構成されるものを採用しており、基板１００に設けられた配線部と電気的に接続された状態にて固定されている。
【００５４】
さらに、図７ないし図１０に示すように、後方パネル２５の一部より片持ち状に延出するとともに、溝底部９４の厚さ方向に対して横方向に変位して撓むレバー９５が設けられ、図８、図１０に示すように、常には、このレバー９５に形成された係合爪９５Ａが電子部品基板１００と係合することによりこの電子部品基板１００が後方パネル２５に取りつけられた状態にて保持されるようになっている。一方、取り付け、又は取外しの際には、図１１に示すように、レバー９５の係合爪９５Ａが電子部品基板１００と干渉しない係合解除位置となるように、溝底部９４の厚さ方向に対して横方向に撓むように変位可能とされている。従って、レバー９５のストロークを長くしても、後方側にレバーが突出しない構成であるため、操作性を考慮してレバーの長さを調整することが可能となる。
【００５５】
また、図７に示すように、レバー９５は、電子部品基板１００の周縁に沿って延出する構成をなし、このレバー９５の少なくとも一部において、電子部品基板１００の端縁部を後方から支持する支持突起９５Ｂが設けられている。より具体的にいえば、レバー９５の自由端部において後方側に突出するように係合爪９５Ａが設けられ、かつこの係合爪９５Ａの一部として支持突起９５Ｂが内側に突出するように形成されている。
【００５６】
さらに、溝底部９４の裏面側において、電子部品基板１００の周囲を取り囲み、この電子部品基板１００の横方向の位置決めを行う包囲壁９０が設けられている。ここでは、包囲壁９０が電子部品基板１００の周囲を、所々部分的に取り囲むように構成されており、この包囲壁９０の一部がレバー９５として兼用されている。また包囲壁の一部において、電子部品基板１００を後方側から支持する後方支持部９８が１又は複数箇所（本実施形態では２箇所）設けられている。ここでは、後方支持部９８及び支持突起９５Ｂの支持により電子部品基板１００が後方側へ抜けないようになっている。
【００５７】
一方、図７、図９に示すように、溝底部９４の裏面側において、電子部品基板１００の周縁部を少なくともこの電子部品基板１００の板厚方向に支持する基板支持部９１が形成されており、この基板支持部９１は、支持位置が溝底部６４の裏面よりも所定距離後方側に位置するように段状に構成されている。基板支持部９１は電子部品基板１００を前方側より支持するものであり、この基板支持部９１と、後方支持部９８及び支持突起９５Ｂとの間に挟まれて、取り付け状態における電子部品基板１００の前後方向への移動が拘束されることとなる。
【００５８】
そして、図１２に示すように、電子部品基板１００の支持状態において、発光部品１０３以外の部分であって、電子部品基板１００の基板前面より突出する、半田部、配線部、半導体部品等の突出部が、基板面１００Ａと溝底部９４の裏面９４Ｂとの間に収まり、発光部品１０３のみが貫通孔９３内に収まるように構成されている。
【００５９】
また、本実施形態では、図１２に示すように、流路９７の前方に入賞装置１１が配置されると共に、この入賞装置１１から流路９７へと遊技球Ｐが進入するように構成されている。そして、発光部品１０３からの光が、入賞装置１１を介して外部へ（詳しくは遊技機前方へ）照出されるように構成されている。図１２の入賞装置１１は、貫通孔９３の前方に入賞装置１１が位置するようになっており、さらに、入賞装置１１における貫通孔９３の前方位置に透光性の部材１１Ｂが配置されている。ここでは入賞装置１１の本体部１１Ａの一部において透光性の部材１１Ｂが配置されており、発光部品１０３からの光がこの投光性の部材１１Ｂを介して前方に照出するようになっている。発光部品１０３と透光性の部材１１Ｂとの間には部品が介在せず、空間が構成されている。なお、ここでは入賞装置１１の本体部１１Ａの一部を透光性の部材としているが、本体部１１Ａ全体を透光性の部材としてもよい。また、図１２の例では、流路９７における入賞装置１１からの遊技球の進入位置は、貫通孔９３よりも下方となっており、発光部品１０３の前方を遊技球があまり遮らないように構成されている。
【００６０】
＜第２実施形態＞
次に、本発明の第２実施形態を図１３を参照しつつ説明する。
【００６１】
図１３では、入賞装置以外の部品から光を照出する例について示す。図１３では、入賞装置の近傍に配置される装飾部品１２０にて発光部品１０３からの光を前方に出す構成を示している。第２実施形態は、発光部品１０３の前方に存在する部品が第１実施形態とは異なるためその点について主に説明し重複する構成に付いては説明を省略する。
【００６２】
図１３では、入賞装置１１の付近に配置される装飾部品１２０の本体部１２０Ａの一部において透光性を有する部分１２０Ｂが設けられており、この透光性を有する部分１２０Ｂを介して前方に光を照出するように構成されている。図１３の装飾部品１２０は入賞装置１１とは別体に構成されるものであり、発光部品１０３を後方パネル２５側に設けたことで遊技盤側に発光部品１０３を設ける必要がない。また、ここでは、別体にて構成しているが、入賞装置１１と装飾部品１２０を一体的に構成し、入賞装置１１における球受部以外の部分を発光させるようにしてもよい。
【００６３】
＜第３実施形態＞
第３実施形態では、電子部品基板を取り付ける基板取付部１０５を複数備えた構成について説明する。
【００６４】
図１４に示すように、本実施形態では流路上に同一形状の基板が配置される（ここでは２つ）基板取付部１０５を複数備えており、いずれかの基板取付部を用い、それ以外の基板取付部１０５を用いないようにして使用するように構成されている。即ち、後方パネル２５が多種の遊技機に流用できるように構成されている。ここでの遊技機においては、基板取付部１０５Ａにおいて電子部品基板１００を取り付けるように構成されており、これ以外の種類の遊技機に用いる場合に基板取付部１０５Ｂを用いるように構成されている。
【００６５】
また、同一機種において電子部品基板の配置位置を変更できるように構成してもよい。例えば、図１３にて概念的に示すように、複数の部品にそれぞれ対応させて流路後方に基板取付部を設け、使用状況に応じて取付対象の部品を選択するようにしてもよい。
【００６６】
＜第４実施形態＞
第４実施形態では、電子部品基板の一部が屈曲して構成され、この屈曲に沿ったレバーが取り付けられる例を示す。
【００６７】
図１５に示すように、ここでは電子部品基板１００の一部周縁が屈曲して構成され、その屈曲に対応するように周壁部９０も一部が屈曲する構成をなしている。具体的には、周壁部９０は、直線状に構成される直線状周壁部９０Ａと、屈曲して構成される屈曲周壁部９０Ｂとを含む構成をなしている。なお、ここでは直線状周壁部９０Ａと屈曲周壁部９０Ｂとが混在する形態をなしているが、上記実施形態のように直線状周壁部のみで構成してもよいし、屈曲周壁部のみで構成してもよい。さらに、周壁部９０（具体的には屈曲周壁部９０Ｂ）の一部をなすレバー９５も、取り付け状態において電子部品基板１００に沿った配置となるように屈曲して構成されている。
【００６８】
そして、取付け時、又は取外し時においては、図１６に示すようにレバー９５を横方向に撓ませて係合を解除するようになっている。このように横方向（即ち、電子部品基板１００の板面方向）に撓むように構成されているため、縦方向に撓む構成をなすレバーと比較して基板周縁の形状を反映したレバー形状としやすくなる。
【００６９】
＜第５実施形態＞
次に、第５実施形態について図１８及び図１９を参照しつつ説明する。
【００７０】
第５実施形態では、電子部品基板の設置領域において溝底部９４に貫通孔９３が複数設けられており、少なくともいずれかの貫通孔９３内に発光部品が配置されるように構成されている。具体的には、電子部品基板の設置領域（溝底部の板面方向に関し電子部品基板が設置される領域）において、電子部品基板における発光部品の複数の配置位置に対応するように溝底部９４に貫通孔９３が複数設けられている。そして、当該後方パネルの前方に配置される遊技盤での発光位置に応じて少なくともいずれかの貫通孔９３内に発光部品が選択的に配置されるように構成されている。
【００７１】
図１８に示す構成では、図９等に示す第１実施形態とほぼ同様の構成の後方パネルを用いており、図９における貫通孔９３に加えさらに３つの貫通孔９３（９３Ｂ〜９３Ｄ）が構成されている。この構成では図９と同位置にも貫通孔９３（図１８：９３Ａ）が形成されているため、図１０に示すような位置の発光部品１０３を備えた電子部品基板１００も配置可能となっている。他方、これ以外の位置の発光部品を備えた電子部品基板も取付け可能である。図１９にはその一例を示しており、図９とは異なる位置の発光部品１０３が貫通孔９３（９３Ｃ）内に配置されるようになっている。ここでは、複数の貫通孔９３が多種のサイズ（図１８では大小２つのサイズ）にて構成されているが、電子部品基板の設置領域における全ての貫通孔を同一サイズにて構成してもよい。また、図１９の例では、複数形成される貫通孔９３のうちいずれか１つの貫通孔９３を選択的に用いるようにしているが、複数の貫通孔９３内に発光部品を配置するように電子部品基板を構成してもよい。いずれにしても、第５実施形態の構成によれば、同一又は略同一の基板形状であって発光部品の位置が異なるような複数種類の電子部品基板（即ち、図１０に示す電子部品基板と、図１９に示す電子部品基板）において共用して用いることができるパネル構成となる。
【００７２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００７３】
（１）  上記実施形態では、電子部品基板を支持する基板支持部を設けるように構成したが、溝底部の裏面が電子部品基板の載置面として兼用されるようにしてもよい。
【００７４】
（２）  上記実施形態においては、入賞装置又はその近傍から光を照出するように構成したが、これ以外の部位から照出するように構成してもよい。
【００７５】
（３）  上記いずれの実施形態の遊技機においても、図１７に示すように、貫通孔９３の径が、遊技球Ｐの径よりも小さくなるように貫通孔９３を形成することができる。図１７は、後方パネル２５に対して電子部品基板１００を取り付ける構成を概念的に示すものであり、特に、電子部品基板１００、発光部品１０３、溝底部９４、貫通孔９３、遊技球Ｐの位置関係を拡大して概念的に説明するものである。ここでは電子部品基板１００の形状や周壁部９０、基板支持部９１、後方支持部９８の配置位置は上記実施形態と異なるようにしているが、上記実施形態と同様の構成としても勿論よい。
【００７６】
図１７に示すように、流路において貫通孔９３に遊技球Ｐが嵌まった場合の遊技球Ｐの後方側の先端部Ｐ１が、発光部品１０３の先端部１０３Ａに達しないように形状調整することができる。このようにすることにより発光部品１０３を極力前方に位置させつつも遊技球Ｐが当たらない位置関係となり、コンパクト化に寄与することとなる。なお、上記実施形態のいずれにおいても、図１７に示すように、半田部、配線部、半導体部品等の貫通孔に配置する発光部品１０３以外の突出部１１１を溝底部９４と電子部品基板表面との間に保持するように保持スペースを構成してもよい。
【００７７】
（４）  上記実施形態においては、レバーを１つのみ設ける構成を示したが２以上設けるように構成してもよい。例えば、横方向に平行に突出するレバーを２つ設け、その２つのレバーに挟まれるようにして電子部品基板が保持されるように構成してもよい。
【符号の説明】
【００７８】
４…遊技盤
１１…入賞装置
２５…後方パネル
９０…包囲壁
９３…貫通孔
９５…レバー
９５Ａ…係合部
９５Ｂ…支持突起
１００…電子部品基板
１０３…発光部品
Ｐ…遊技球
【図１】
2014004394.tif 000003
【図２】
2014004394.tif 000004
【図３】
2014004394.tif 000005
【図４】
2014004394.tif 000006
【図５】
2014004394.tif 000007
【図６】
2014004394.tif 000008
【図７】
2014004394.tif 000009
【図８】
2014004394.tif 000010
【図９】
2014004394.tif 000011
【図１０】
2014004394.tif 000012
【図１１】
2014004394.tif 000013
【図１２】
2014004394.tif 000014
【図１３】
2014004394.tif 000015
【図１４】
2014004394.tif 000016
【図１５】
2014004394.tif 000017
【図１６】
2014004394.tif 000018
【図１７】
2014004394.tif 000019
【図１８】
2014004394.tif 000020
【図１９】
2014004394.tif 000021